(57)【要約】本発明は、特に可動式の家具部品用の案内装置（１）に関し、これはキャリア（４）が可動に取り付けられる案内部（３）を備え、可動式家具部品を加速または減速させるためにキャリア（４）が作動部材と共に係合可能であり、案内部（３）が少なくとも１つの直線部分（３０）と少なくとも１つの角度部分（３１）とを有し、ここで作動部材がキャリア（４）に係合される、またはそれから外されることが可能である案内装置であって、少なくとも１つの減衰部材（２３）が設けられており、これによりキャリア（４）の案内部（３）またはハウジング（２）への衝撃が回避される。本発明に係り、キャリアの動作時における案内部に沿っての、またはハウジングへの大きな衝撃騒音が回避可能である。【選択図】図１
2016519610.tif 000002
【特許請求の範囲】
【請求項１】
特に可動式の家具部品用の案内装置（１）であって、
キャリア（４）が可動に取り付けられる案内部（３）を備え、
可動式家具部品を加速または減速させるために前記キャリア（４）が作動部材と共に係合可能であり、
前記案内部（３）が少なくとも１つの直線部分（３０）と少なくとも１つの角度部分（３１）とを有し、
ここで前記作動部材が前記キャリア（４）と係合されるまたはそれから外されることが可能である案内装置において、
少なくとも１つの減衰部材（２３）が設けられており、
これにより前記キャリア（４）の前記案内部（３）またはハウジング（２）への衝撃が回避されることを特徴とする
案内装置。
【請求項２】
前記少なくとも１つの減衰部材（２３）が、前記少なくとも１つの角度部分（３１）に、または角度部分（３１）と前記直線部分（３０）との間の移行部に設けられることを特徴とする
請求項１に記載の案内装置。
【請求項３】
前記キャリア（４）が、前記直線部分（３０）と前記角度部分（３１）との間の移行部で旋回可能であることを特徴とする
請求項１または２に記載の案内装置。
【請求項４】
前記キャリアが、前記案内部（３）の経路に可動に保持される少なくとも１つの滑動部材（５、６）を備えることを特徴とする
前記のいずれか一項に記載の案内装置。
【請求項５】
前記少なくとも１つの滑動部材（５、６）が、前記案内部（３）の前記経路内で案内方向に対して垂直に遊びを持って保持されることを特徴とする
請求項４に記載の案内装置。
【請求項６】
前記減衰部材（２３）が、前記直線部分（３０）と前記角度部分（３１）との間の前記移行部の径方向外側の領域に配置されることを特徴とする
前記のいずれか一項に記載の案内装置。
【請求項７】
前記キャリア（４）が、ばね（１４）により予荷重をかけられ、前記角度部分に固定されていることを特徴とする
前記のいずれか一項に記載の案内装置。
【請求項８】
前記減衰部材（２３）が弾性材料、特に発泡体、ゴムまたは弾塑性材から、または２つの構成部品を有する構造部材からまたはコーティングにより作られることを特徴とする
前記のいずれか一項に記載の案内装置。
【請求項９】
前記減衰部材（２３）が吸音構造を有する、または少なくとも部分的に吸音材料が混ぜられていることを特徴とする
前記のいずれか一項に記載の案内装置。
【請求項１０】
前記減衰部材（２３）が旋回可能に取り付けられており、直線部分と角度部分（３０、３１）との間の移行部で滑動部材（５、６）が前記減衰部材（２３）に受けられていることを特徴とする
請求項４または５に記載の案内装置。
【請求項１１】
直線的に移動可能であるキャリッジ（１０）に前記キャリア（４）が接続され
ることを特徴とする
前記のいずれか一項に記載の案内装置。
【請求項１２】
前記キャリア（４）が、キャリッジ（１０）に旋回可能に取り付けられることを特徴とする
請求項１０に記載の案内装置。
【請求項１３】
ばね（１４）の一方の端部が、前記キャリア（４）の予荷重のために前記キャリッジ（１０）に固定されることを特徴とする
請求項１０または１１に記載の案内装置。
【請求項１４】
前記案内装置が自動閉鎖装置として構成されていることを特徴とする
前記のいずれか一項に記載の案内装置。
【請求項１５】
前記案内装置が取り出し装置として構成されていることを特徴とする
前記のいずれか一項に記載の案内装置。
【発明の詳細な説明】
【技術分野】
【０００１】
本発明は、特に可動式の家具部品用の案内装置に関し、案内装置はキャリアが可動に取り付けられる案内部を備え、キャリアは、可動式の家具部品を加速または減速させるために作動部材と共に係合されることが可能であり、案内部は少なくとも１つの直線部分と、少なくとも１つの角度をなす部分とを有し、ここで作動部材はキャリアと係合される、またはそれから外されることが可能である。
【背景技術】
【０００２】
特許文献１は、引き出し案内部における取り出し機構を開示しており、可動式の移動レール上に作動部材が固定されており、この作動部材は取り出し機構のキャリアと係合されることが可能である。  
キャリアは、ばねによって取り出し方向に予荷重がかけられており、直線部分と、１つまたは複数の角度をなす端部とを有する案内経路に沿って動かされることが可能である。  
キャリアが角度をなす端部へ移動すると、作動部材はキャリアから分離可能であり、これにより移動レールがキャリアとは独立して可動となる。  
閉鎖過程において移動レールが推進力によってキャリアに向かって動かされると、これは案内部に沿って角度をなす端部外へ引っ張られ、急速な閉鎖工程の際には衝撃騒音が聞こえることとなってしまう。
【０００３】
特許文献２は、引込装置を開示しており、ここでは伝達機構が、角度をなす端部を有する直線的な案内経路に沿って可動である。  
伝達機構は閉鎖方向に予荷重がかけられており、引き出し案内部の移動レールの作動部材と係合されることが可能である。  
この引込装置でもまた、作動部材が伝達機構に衝突する際に、角度をなす端部分から急に動かされることによって望ましくない騒音および摩耗が増加してしまうという問題がある。
【先行技術文献】
【特許文献】
【０００４】
【特許文献１】国際公開第２０１１／０１５６６３号パンフレット
【特許文献２】国際公開第２００７／０３９５４１号パンフレット
【発明の概要】
【発明が解決しようとする課題】
【０００５】
したがって、本発明の課題は、高速でも円滑かつ低騒音で作動部材をキャリアに連結させることが可能になる案内装置を提供することである。
【課題を解決するための手段】
【０００６】
この課題は、請求項１に記載の特徴を有する案内装置により解決される。
【０００７】
本発明に係り、少なくとも１つの減衰部材が設けられ、これによりキャリアの案内部またはハウジングへの衝撃が回避される。  
この減衰部材によって、比較的高い閉鎖速度でも、また急なキャリアの旋回を伴っても、キャリアが案内部に衝突して衝撃騒音を生じさせてしまうことが回避可能である。  
これに関して本発明は、案内部の直線部分から角度をなす部分への移動におけるキャリアの移動経路が、キャリアが角度をなす端部分から引き出される連結解除の際とは異なることが可能であるという事実に基づいている。  
というのも、キャリアに急に荷重が加えられると、キャリアは、角度をなす部分へ連結するのとはわずかに異なる動作で角度をなす部分から出るためである。  
その結果、修正された移動経路を使用して、キャリアの案内部への衝撃を回避する減衰部材を設けることが可能である。  
さらに、減衰部材の材料は、騒音の発生を回避する。
【０００８】
好適な実施形態に係り、少なくとも１つの減衰部材は、少なくとも１つの角度部分に、または角度部分と直線部分との間の移行部に設けられている。  
そうでない場合は、特に角度部分と直線部分との間の移行部の領域でキャリアが案内部に衝突し、衝撃騒音を生じさせてしまうことになる。  
この場合キャリアは直線部分と角度部分との間の移行部で旋回可能であり、旋回動作は直線部分への移行部で停止されなくてはならない。
【０００９】
キャリアは好適には、案内部の経路内で可動である少なくとも１つの滑動部材により保持される。  
キャリアの両側に案内部を設け、これによりキャリアの対向する両側でそれぞれ案内部に保持される少なくとも１つの滑動部材が設けられることも可能である。  
滑動部材は、たとえばピンまたはボルトとして設計されることが可能である。
【００１０】
キャリアを案内部内で円滑に動かすことを可能にするために、キャリアの少なくとも１つの滑動部材は、案内部の経路内で案内方向に対して垂直方向に遊びを持って保持される。  
これによって、少なくとも１つの滑動部材は締め付けられて案内されるのではなく、円滑に移動可能である。
【００１１】
好適には、減衰部材は直線部分と角度部分との間の移行部の径方向外側の領域に配置されている。  
角度部分はここでは円弧形状に形成されることが可能であり、これによりキャリアの旋回動作の際に減衰部材がキャリアの旋回動作を所望の位置で停止させる。
【００１２】
ここでは減衰部材は案内部のハウジングに固定されることが可能である。  
減衰部材を旋回可能に取り付ける、たとえば減衰部材をピンで回転可能に保持することも可能である。  
好適には減衰部材は弾性材料、特に発泡体、ゴムまたは弾塑性材からなる。  
減衰部材は吸音構造を有する、または吸音材料からなることが可能である。
【００１３】
減衰部材は少なくとも２つの構成部品を備え、これらに異なる硬さを有する部品を使用することも可能であり、その際に硬い部品は同時に減衰部材を固定するための固定部材であることが可能である。
【００１４】
別の実施形態に係り、キャリアは直線的に移動可能であるキャリッジに接続される。  
減衰部材はこの場合、たとえば対応する湾曲案内部によりキャリッジに旋回可能に取り付け可能である。  
好適には、キャリアおよびキャリッジを引込または延伸方向へ予荷重をかけるためにキャリアの予荷重のためにばねの一端がキャリッジに固定される。  
好適には、案内装置は自動閉鎖式の装置として構成され、これによりキャリッジは引込方向に予荷重がかけられる。
【００１５】
以下に本発明を添付の図面に基づき例示的実施形態を参照して詳しく説明する。
【図面の簡単な説明】
【００１６】
【図１】本発明に係る案内装置の閉鎖位置における側面図である。
【図２】図１の案内装置のキャリアが開放位置にある状態の側面図である。
【図３Ａ】図１の案内装置のキャリアのロック解除時の図である。
【図３Ｂ】図１の案内装置のキャリアのロック解除時の図である。
【図４Ａ】図１の案内装置のキャリアのロック解除時の図である。
【図４Ｂ】図１の案内装置のキャリアのロック解除時の図である。
【発明を実施するための形態】
【００１７】
（実施形態１）
案内装置１は、直線部分３０と、直線部分３０から角度をなしている部分３１とを備える案内部３を有するハウジング２を備える。  
案内部３にはキャリア４が可動に取り付けられており、このキャリアは前方ピン５と後方ピン６とを備え、これらは案内部３に移動可能に取り付けられる。  
キャリア４は、ハウジング２の第１部分とハウジング２の第２部分との間で動かされることができ、これにより、キャリア４の両側でピン５および６が突出し、それぞれ案内部３内で可動である。
【００１８】
案内装置１は、自動閉鎖装置または取り出し機構として加速または減速されるべき可動式の家具部品、特に引き出し、スライドドアまたはその他の可動式家具部品の加速または減速に使用されることが可能である。  
この目的のため、キャリア４は可動式家具部品に連結されることが可能であり、キャリア４は、前壁部８と後壁部９とによって囲まれる受容部７を有し、これにより突起部または作動部材が受容部７内に保持されていると、受容部７内の突起部がキャリア４により所望の通り減速または加速されることが可能である。
【００１９】
キャリア４は、案内経路１３に沿って直線的に可動であるキャリッジ１０に可動に取り付けられている。  
このために、キャリッジ１０は、直線的な案内経路１３内に保持される前方ピン１１と後方ピン１２とを有する。  
キャリア４の前方ピン５が係合する湾曲案内部２５がさらにキャリッジ１０に形成されている。  
これにより前方ピン５は一方で案内部３内を案内され、他方では湾曲案内部２５内で案内される。  
それによって、キャリア４は、キャリッジ１０に旋回可能に取り付けられる。
【００２０】
キャリッジ１０は、引込方向にばね１４により予荷重がかけられている。  
このために、ばね１４の一方の端部１５はキャリッジ１０の前端部で受容部１６に保持されており、ばね１４の他方の端部はハウジング２のホルダ１８に固定されている。
【００２１】
さらに、ダンパハウジング１９とピストンロッド２０とを備えるダンパ３２が、キャリッジ１０に設けられる。  
キャリッジ１０に接続される連結部材２１が、ピストンロッド２０の端部に設けられる。  
キャリッジ１０が引込方向へ動かされると、ピストンロッド２０はダンパハウジング１９内への挿入時に減速され、キャリッジ１０の開放方向への動作の際には再びダンパハウジング１９から出されることが可能である。
【００２２】
図１は、キャリア４が端部でハウジング２に配置されている閉鎖位置の案内装置１を示している。  
この場合、閉鎖位置ではキャリア４は不図示の作動部材に連結されており、これは受容部７に係合し、たとえば引き出し案内部、スライドドア、またはその他の構成部品の移動レールに連結されている。
【００２３】
続いて可動式の家具のドアが開放方向へ動かされると、キャリア４は案内部３の直線部分３０に沿って、キャリッジ１０により張力がかけられるばね１４の力に抗して移動する。  
キャリア４は続いて角度部分３１に達し、ここで前方ピン５が入り、直線部分３０に対して角度をなして動かされ、直線部分３０はキャリア４を旋回させる。  
図２に示される旋回位置では、作動部材は受容部７から出て、キャリア４からは独立して動かされることが可能である。  
この位置ではキャリア４は固定されており、ばね１４はキャリッジ１０およびキャリア４に閉鎖方向に予荷重をかける。  
キャリア４は、案内部３の角度の付いた弓形部分３１に配置される前方ピンにより保持される。
【００２４】
ロック解除のためには、作動部材が壁部９に当たっている受容部７内へ作動部材が移動されることが可能であり、それによりキャリア４を旋回してピン５を図３Ａおよび３Ｂに示されるように、案内部３の角度部分３１に沿って直線部分３０へ移動させる。  
作動部材の壁部９への衝突は、かなり高速で行われることが可能であり、これによりキャリア４は速く動かされる。  
キャリア４およびピン５の案内部３またはハウジング２への衝撃を回避するために、減衰部材２３がハウジング２に取り付けられる。  
減衰部材２３は、弾性材料、特に発泡体または弾塑性材からなり、ホルダ２２によりハウジング２に固定される。  
減衰部材２３は、ここでは角度部分３１と直線部分３０との間の移行部の径方向外側に配置されている。
【００２５】
図３Ｂに示されるように、キャリア４は、前方ピン５に隣接する領域で減衰部材２３の接触面２４上で停止することが可能であり、これによりキャリア４の旋回動作は減衰部材２３によって低騒音で減速される。  
キャリア４のさらなる動作時には、これは図４Ａおよび４Ｂに示される位置に入る。  
キャリア４は湾曲した減衰部材２３に沿って動き、接触面２６で接触面２４とは離間している減衰部材２３に当接する。  
これにより、キャリア４は減衰部材２３により角度部分３１と直線部分３０との間の移行部で案内され、硬い材料が相互に衝突することによる大きな衝撃騒音は回避される。  
直線部分３０への到達後、キャリア４は前方ピン５によりばね１４およびダンパ３２の力によって閉鎖位置へ動かされることが可能である。
【００２６】
開放動作時および閉鎖動作時のキャリア４の移動経路は、それぞれ特に直線部分３０と角度部分３１との間の移行部の領域において異なることが可能である。  
開放工程では、キャリア４が減衰部材２３にキャリアが接触しない、またはわずかにしか接触しないことが考えられ、その結果キャリア４の角度部分３１への移動時の摩耗はわずかである。  
このために、ピン５は特定の遊びを持って直線部分３０と角度部分３１との間の移行部に保持されており、この遊びはピン５の動作方向に対して垂直に、たとえば０．１ｍｍから１ｍｍの間の領域であることが可能である。
【００２７】
（実施形態２）
図示されている例示的実施形態では、減衰部材２３はホルダ２２によりハウジング２に固定されており、固定的に設けられている。  
減衰部材２３をピンに旋回可能に取り付けて、これにより減衰部材２３によって特定の旋回動作が実施されることも可能である。  
この場合、好適にはキャリアとの接触領域で、ピンは柔らかい構成部品またはコーティングを備えることが可能である。
【００２８】
（実施形態３）
図示されている例示的実施形態では、案内装置１は、可動式の家具部品を閉鎖位置で保持する引込装置として構成されているが、取り出し機構として案内装置を構成することも可能である。  
その際、キャリア４には閉鎖方向ではなく、開放方向に予荷重がかけられる。  
図示される実施形態では、キャリア４は、１つの角度部分３１のみを有する案内部３に沿って可動であるが、対向する両端部に角度部分３１を有する案内部３を設けることも可能である。  
角度部分３１は直線部分３０から角度をなして延伸し、弓形にも、または線状にも構成可能である。
【符号の説明】
【００２９】
１  案内装置
２  ハウジング
３  案内部
４  キャリア
５  ピン
６  ピン
７  受容部
８  壁部
９  壁部
１０  キャリッジ
１１  ピン
１２  ピン
１３  案内経路
１４  ばね
１５  ばね端部
１６  受容部
１７  ばね端部
１８  ホルダ
１９  ダンパハウジング
２０  ピストンロッド
２１  連結部材
２２  ホルダ
２３  減衰部材
２４  接触面
２５  湾曲案内部
２６  接触面
３０  直線部分
３１  角度部分
３２  ダンパ
【図１】
2016519610.tif 000003
【図２】
2016519610.tif 000004
【図３Ａ】
2016519610.tif 000005
【図３Ｂ】
2016519610.tif 000006
【図４Ａ】
2016519610.tif 000007
【図４Ｂ】
2016519610.tif 000008
【国際調査報告】
2016519610.tif 000009
2016519610.tif 000010
2016519610.tif 000011
2016519610.tif 000012